(57)【要約】【課題】変速時におけるエンジン回転数の鋭い変化を際立たせつつ、ドライバが違和感を感じることのないように、エンジン回転数をエンジン回転数表示器に表示させることができる車両用エンジン回転数表示装置を提供する。【解決手段】車両用エンジン回転数表示装置は、エンジン回転数を検出するエンジン回転数センサ(26)と、エンジン回転数を表示するタコメータ(28)と、検出されたエンジン回転数に基づきタコメータによる表示を制御するタコメータ制御部(30)及びコントロールユニット(44)とを有し、タコメータ制御部及びコントロールユニットは、自動変速機の変速制御が行われているときに、ロックアップクラッチの制御が行われている場合、タコメータの表示の応答性を、ロックアップクラッチの制御が行われていないときよりも上昇させる。【選択図】図４
2015017954.tif 000002
【特許請求の範囲】
【請求項１】
エンジンと、このエンジンに連結されたロックアップクラッチ付のトルクコンバータを備えた自動変速機と、この自動変速機を制御する自動変速機制御手段と、を有する車両のエンジン回転数を表示する車両用エンジン回転数表示装置であって、
エンジン回転数を検出するエンジン回転数検出手段と、
エンジン回転数を表示するエンジン回転数表示手段と、
上記エンジン回転数検出手段により検出されたエンジン回転数に基づき、上記エンジン回転数表示手段による表示を制御する表示制御手段と、を有し、
上記表示制御手段は、
上記ロックアップクラッチの制御が行われているか否かを判定するロックアップ判定手段と、
上記自動変速機制御手段により上記自動変速機の変速制御が行われているときに、上記エンジン回転数検出手段により検出されたエンジン回転数に対する上記エンジン回転数表示手段の表示の応答性を、上記自動変速機の変速制御が行われていないときよりも上昇させる応答性上昇手段と、を備え、
上記応答性上昇手段は、上記自動変速機の変速制御が行われているときに、上記ロックアップ判定手段により上記ロックアップクラッチの制御が行われていると判定された場合、上記エンジン回転数表示手段の表示の応答性を、上記ロックアップクラッチの制御が行われていないときよりも上昇させることを特徴とする車両用エンジン回転数表示装置。
【請求項２】
上記表示制御手段は、上記ロックアップクラッチの締結度合を判定するロックアップ締結度合判定手段を備え、
上記応答性上昇手段は、上記ロックアップ締結度合判定手段により判定された上記ロックアップクラッチの締結度合が高いほど、上記エンジン回転数表示手段の表示の応答性を上昇させる請求項１に記載の車両用エンジン回転数表示装置。
【請求項３】
上記表示制御手段は、上記自動変速機の変速制御が行われているときに、上記ロックアップ判定手段により上記ロックアップクラッチの制御が行われていないと判定された場合、上記応答性上昇手段による上記エンジン回転数表示手段の表示の応答性の上昇を禁止する応答性上昇禁止手段を有する請求項１又は２に記載の車両用エンジン回転数表示装置。
【請求項４】
上記ロックアップ判定手段は、上記ロックアップクラッチがスリップ状態であるときに、このロックアップクラッチの制御が行われていると判定する請求項１乃至３の何れか１項に記載の車両用エンジン回転数表示装置。
【請求項５】
上記表示制御手段は、上記自動変速機制御手段により上記自動変速機の変速制御が行われているときに、上記自動変速機の変速動作のフェーズがイナーシャフェーズであるか否かを判定するイナーシャフェーズ判定手段を有し、
上記ロックアップ判定手段は、上記イナーシャフェーズ判定手段により、上記自動変速機の変速動作のフェーズがイナーシャフェーズであると判定されたときに、上記ロックアップクラッチの制御が行われているか否かを判定する請求項１乃至４の何れか１項に記載の車両用エンジン回転数表示装置。
【請求項６】
エンジンと、このエンジンに連結されたロックアップクラッチ付のトルクコンバータを備えた自動変速機と、この自動変速機を制御する自動変速機制御手段と、を有する車両用エンジン回転数表示装置の制御方法であって、
エンジン回転数を検出するステップと、
上記検出されたエンジン回転数に基づき、上記エンジン回転数表示装置による表示を制御するステップと、を有し、
上記エンジン回転数表示装置による表示を制御するステップは、
上記ロックアップクラッチの制御が行われているか否かを判定するステップと、
上記自動変速機制御手段により上記自動変速機の変速制御が行われているときに、上記検出されたエンジン回転数に対する上記エンジン回転数表示装置の表示の応答性を、上記自動変速機の変速制御が行われていないときよりも上昇させるステップと、を有し、
上記エンジン回転数表示装置の表示の応答性を上昇させるステップにおいて、上記自動変速機の変速制御が行われているときに、上記ロックアップクラッチの制御が行われていると判定された場合、上記エンジン回転数表示装置の表示の応答性を、上記ロックアップクラッチの制御が行われていないときよりも上昇させることを特徴とする車両用エンジン回転数表示装置の制御方法。
【発明の詳細な説明】
【技術分野】
【０００１】
本発明は、車両用エンジン回転数表示装置及び車両用エンジン回転数表示装置の制御方法に係わり、特に、ロックアップクラッチ付のトルクコンバータを備えた自動変速機を有する車両のエンジン回転数を表示する車両用エンジン回転数表示装置及び車両用エンジン回転数表示装置の制御方法に関する。
【背景技術】
【０００２】
従来より、車両のエンジン回転数を表示するためのエンジン回転数表示装置が用いられている。このエンジン回転数表示装置は、エンジンの回転数を検出するエンジン回転数センサから出力されたエンジン回転数信号に応じて、エンジンの回転数を表示するエンジン回転数表示器（タコメータ、レブカウンタ）を制御する。
エンジン回転数信号は、エンジン回転の微小な変動やエンジン回転数センサの検出のばらつきも反映されて変動しているので、このエンジン回転数信号の変動をそのままエンジン回転数表示器に表示させると、エンジン回転数の表示が微小に変動し続けることになり、視認性が悪化するという問題が生じる。
そこで、このような視認性悪化を防止するために、エンジン回転数センサから出力されたエンジン回転数信号に対するエンジン回転数表示器の表示の応答性を敢えて低下させることが提案されている。
【０００３】
例えば、特許文献１には、所定の判定期間におけるエンジン回転数信号に基づいて、表示器に表示するエンジン回転数を判定する車両用エンジン回転数表示装置が開示されている。この車両用エンジン回転数表示装置は、エンジン回転数の増大に応じて判定期間を短縮する。すなわち、エンジンが低回転数のときには判定期間が長くなるので、エンジン回転数信号に対するエンジン回転数表示器の表示の応答性が低下し、表示の微小変動が防止される。一方、エンジンが低回転数のときには判定期間が短くなるので、エンジン回転数信号に対するエンジン回転数表示器の表示の応答性が上昇し、エンジン回転数の変動に追従した表示が行われる。
【０００４】
また、高性能なエンジンを搭載した車両を運転するドライバは、エンジンの性能の高さが現れる場面として、変速時におけるエンジン回転数の鋭い変化を期待している。このとき、ドライバは、エンジン回転数の変化をエンジン音から聴覚により感じるだけではなく、エンジン回転数表示器の表示の変化から視覚により感じ取ろうとする。
そこで、変速時においては、エンジン回転数表示器の表示の応答性を非変速時よりも上昇させることが提案されている。
【０００５】
例えば、特許文献２には、所定量のアクセルペダル操作が行われた場合や、マニュアル変速モード時に変速操作が行われた場合に、タコメータの表示応答性を上昇させることにより、運転者の意思に応じて望ましい表示動作を行うようにした内燃機関の運転状態表示装置が開示されている。
【先行技術文献】
【特許文献】
【０００６】
【特許文献１】特開平１−１５４１９５号公報
【特許文献２】特開２００６−２４２７６０号公報
【発明の概要】
【発明が解決しようとする課題】
【０００７】
ところで、自動変速機のトルクコンバータが備えるロックアップクラッチは、完全に解放された解放状態、完全に締結された締結状態、又は、半締結されたスリップ状態となるように制御される。
【０００８】
この内、締結状態やスリップ状態においては、自動変速機のギア比の変更に伴ってトルクコンバータのタービンの回転数が変化すると、ロックアップクラッチを介してタービンと連結されたエンジンの回転数も、タービン回転数に追随するように敏速に変化する。
一方、解放状態においては、ロックアップクラッチが解放されており、エンジンはタービンと機械的に連結されていないので、自動変速機のギア比の変更に伴ってトルクコンバータのタービンの回転数が変化しても、エンジン回転数はタービン回転数に敏速に追随せず、不安定且つ緩慢に変化する。
【０００９】
しかしながら、上述した特許文献１の装置は、単に、エンジン回転数の増大に応じてエンジン回転数表示器の表示の応答性を上昇させるものであり、ロックアップクラッチの状態を考慮していないので、自動変速機の変速制御中においてロックアップクラッチが解放状態であるときにエンジン回転数表示器の表示の応答性を上昇させると、エンジン回転数の不安定な変化がエンジン回転数表示器に表示され、ドライバが違和感を感じるという問題が生じる。
【００１０】
また、上述した特許文献２の装置は、単に、所定の変速指令があったときにタコメータの表示応答性を上昇させるものであり、ロックアップクラッチの状態を考慮していないので、ロックアップクラッチが解放状態であるときに所定の変速指令に応じてエンジン回転数表示器の表示の応答性を上昇させると、エンジン回転数の不安定な変化がエンジン回転数表示器に表示され、ドライバが違和感を感じるという問題が生じる。
【００１１】
本発明は、上述した従来技術の問題点を解決するためになされたものであり、変速時におけるエンジン回転数の鋭い変化を際立たせつつ、ドライバが違和感を感じることのないように、エンジン回転数をエンジン回転数表示器に表示させることができる車両用エンジン回転数表示装置及び車両用エンジン回転数表示装置の制御方法を提供することを目的とする。
【課題を解決するための手段】
【００１２】
上記の目的を達成するために、本発明の車両用エンジン回転数表示装置は、エンジンと、このエンジンに連結されたロックアップクラッチ付のトルクコンバータを備えた自動変速機と、この自動変速機を制御する自動変速機制御手段と、を有する車両のエンジン回転数を表示する車両用エンジン回転数表示装置であって、エンジン回転数を検出するエンジン回転数検出手段と、エンジン回転数を表示するエンジン回転数表示手段と、エンジン回転数検出手段により検出されたエンジン回転数に基づき、エンジン回転数表示手段による表示を制御する表示制御手段と、を有し、表示制御手段は、ロックアップクラッチの制御が行われているか否かを判定するロックアップ判定手段と、自動変速機制御手段により自動変速機の変速制御が行われているときに、エンジン回転数検出手段により検出されたエンジン回転数に対するエンジン回転数表示手段の表示の応答性を、自動変速機の変速制御が行われていないときよりも上昇させる応答性上昇手段と、を備え、応答性上昇手段は、自動変速機の変速制御が行われているときに、ロックアップ判定手段によりロックアップクラッチの制御が行われていると判定された場合、エンジン回転数表示手段の表示の応答性を、ロックアップクラッチの制御が行われていないときよりも上昇させることを特徴とする。
このように構成された本発明においては、応答性上昇手段は、自動変速機制御手段により自動変速機の変速制御が行われているときに、エンジン回転数検出手段により検出されたエンジン回転数に対するエンジン回転数表示手段の表示の応答性を、自動変速機の変速制御が行われていないときよりも上昇させるので、変速時におけるエンジン回転数の変化が際立つように、エンジン回転数をエンジン回転数表示手段に表示させることができる。これにより、ドライバは、変速時におけるエンジン回転数の鋭い変化を、エンジン回転数表示手段の表示の変化から視覚により感じ取ることができる。
また、応答性上昇手段は、自動変速機の変速制御が行われているときに、ロックアップクラッチの制御が行われている場合、エンジン回転数表示手段の表示の応答性を、ロックアップクラッチの制御が行われていないときよりも上昇させるので、ロックアップクラッチがスリップ状態あるいは締結状態でありエンジン回転数がタービン回転数に追随して敏速に変化するときのエンジン回転数表示手段の表示の応答性を、ロックアップクラッチが解放状態でありエンジン回転数が不安定に変化するときの応答性と比較して高くすることができる。これにより、変速時におけるエンジン回転数の変化が際立つように、エンジン回転数をエンジン回転数表示手段に表示させつつ、エンジン回転数の不安定な変化がエンジン回転数表示手段に表示されることを抑制することができ、ドライバが違和感を感じることを防止できる。
【００１３】
また、本発明において、好ましくは、表示制御手段は、ロックアップクラッチの締結度合を判定するロックアップ締結度合判定手段を備え、応答性上昇手段は、ロックアップ締結度合判定手段により判定されたロックアップクラッチの締結度合が高いほど、エンジン回転数表示手段の表示の応答性を上昇させる。
このように構成された本発明においては、応答性上昇手段は、ロックアップクラッチの締結度合が高いほど、エンジン回転数表示手段の表示の応答性を上昇させるので、ロックアップクラッチの締結度合が高くなりエンジン回転数がタービン回転数に追随してより敏速に変化するようになる程、エンジン回転数表示手段の表示の応答性を高くすることができ、これにより、変速時におけるエンジン回転数の変化が一層際立つように、エンジン回転数をエンジン回転数表示手段に表示させることができる。
【００１４】
また、本発明において、好ましくは、表示制御手段は、自動変速機の変速制御が行われているときに、ロックアップ判定手段によりロックアップクラッチの制御が行われていないと判定された場合、応答性上昇手段によるエンジン回転数表示手段の表示の応答性の上昇を禁止する応答性上昇禁止手段を有する。
このように構成された本発明においては、応答性上昇禁止手段は、自動変速機の変速制御が行われているときに、ロックアップクラッチの制御が行われていない場合、エンジン回転数表示手段の表示の応答性の上昇を禁止するので、自動変速機の変速制御中であっても、ロックアップクラッチが解放状態でありエンジン回転数が不安定に変化するときには、エンジン回転数表示手段の表示の応答性を上昇させないようにすることができ、これにより、エンジン回転数の不安定な変化がエンジン回転数表示手段に表示されることを抑制することができる。
【００１５】
また、本発明において、好ましくは、ロックアップ判定手段は、ロックアップクラッチがスリップ状態であるときに、このロックアップクラッチの制御が行われていると判定する。
このように構成された本発明においては、ロックアップ判定手段は、ロックアップクラッチがスリップ状態であるときに、このロックアップクラッチの制御が行われていると判定する。従って、応答性上昇手段は、自動変速機の変速制御が行われているときに、ロックアップクラッチがスリップ状態である場合、エンジン回転数表示手段の表示の応答性を上昇させるので、ロックアップクラッチがスリップ状態でありエンジン回転数がタービン回転数に追随して敏速に変化するときのエンジン回転数表示手段の表示の応答性を、ロックアップクラッチが解放状態でありエンジン回転数が不安定に変化するときの応答性と比較して高くすることができる。これにより、変速時におけるエンジン回転数の変化が際立つように、エンジン回転数をエンジン回転数表示手段に表示させつつ、エンジン回転数の不安定な変化がエンジン回転数表示手段に表示されることを抑制することができる。
【００１６】
また、本発明において、好ましくは、表示制御手段は、自動変速機制御手段により自動変速機の変速制御が行われているときに、自動変速機の変速動作のフェーズがイナーシャフェーズであるか否かを判定するイナーシャフェーズ判定手段を有し、ロックアップ判定手段は、イナーシャフェーズ判定手段により、自動変速機の変速動作のフェーズがイナーシャフェーズであると判定されたときに、ロックアップクラッチの制御が行われているか否かを判定する。
このように構成された本発明においては、ロックアップ判定手段は、自動変速機の変速動作のフェーズがイナーシャフェーズであるときに、ロックアップクラッチの制御が行われているか否かを判定する。即ち、エンジン回転数が敏速に変化するイナーシャフェーズにおけるロックアップクラッチの状態に応じてエンジン回転数表示手段の表示の応答性を設定するので、変速時におけるエンジン回転数の変化が一層際立つように、エンジン回転数をエンジン回転数表示手段に表示させつつ、エンジン回転数の不安定な変化がエンジン回転数表示手段に表示されることを確実に抑制することができる。
【００１７】
また、本発明の第２発明による車両用エンジン回転数表示装置の制御方法は、エンジンと、このエンジンに連結されたロックアップクラッチ付のトルクコンバータを備えた自動変速機と、この自動変速機を制御する自動変速機制御手段と、を有する車両用エンジン回転数表示装置の制御方法であって、エンジン回転数を検出するステップと、検出されたエンジン回転数に基づき、エンジン回転数表示装置による表示を制御するステップと、を有し、エンジン回転数表示装置による表示を制御するステップは、ロックアップクラッチの制御が行われているか否かを判定するステップと、自動変速機制御手段により自動変速機の変速制御が行われているときに、検出されたエンジン回転数に対するエンジン回転数表示装置の表示の応答性を、自動変速機の変速制御が行われていないときよりも上昇させるステップと、を有し、エンジン回転数表示装置の表示の応答性を上昇させるステップにおいて、自動変速機の変速制御が行われているときに、ロックアップクラッチの制御が行われていると判定された場合、エンジン回転数表示装置の表示の応答性を、ロックアップクラッチの制御が行われていないときよりも上昇させることを特徴とする。
【発明の効果】
【００１８】
本発明による車両用エンジン回転数表示装置及び車両用エンジン回転数表示装置の制御方法によれば、変速時におけるエンジン回転数の鋭い変化を際立たせつつ、ドライバが違和感を感じることのないように、エンジン回転数をエンジン回転数表示器に表示させることができる。
【図面の簡単な説明】
【００１９】
【図１】本発明の実施形態による車両用エンジン回転数表示装置を搭載した車両の概略ブロック図である。
【図２】本発明の実施形態による車両用エンジン回転数表示装置のブロック図である。
【図３】本発明の実施形態による車両用エンジン回転数表示装置を搭載した車両のアップ変速時におけるエンジン回転数の変化と、エンジン回転数に対する応答性を変化させた場合にタコメータに表示されるエンジン回転数の変化を示す線図である。
【図４】本発明の実施形態による車両用エンジン回転数表示装置が行う表示制御処理のフローチャートである。
【図５】本発明の実施形態による車両用エンジン回転数表示装置を搭載した車両のアップ変速時におけるエンジン回転数及びタービン回転数の変化と、車両用エンジン回転数表示装置により設定されるフラグの変化とを示すタイミングチャートである。
【図６】本発明の実施形態の変形例による車両用エンジン回転数表示装置を搭載した車両のアップ変速時におけるエンジン回転数の変化と、エンジン回転数に対する応答性を変化させた場合にタコメータに表示されるエンジン回転数の変化を示す線図である。
【図７】本発明の実施形態の第１変形例による車両用エンジン回転数表示装置が行う表示制御処理のフローチャートである。
【図８】本発明の実施形態の第２変形例による車両用エンジン回転数表示装置が行う表示制御処理のフローチャートである。
【発明を実施するための形態】
【００２０】
以下、添付図面を参照して、本発明の実施形態による車両用エンジン回転数表示装置及び車両用エンジン回転数表示装置の制御方法を説明する。
まず、図１により、本発明の実施形態による車両用エンジン回転数表示装置を搭載した車両について説明する。図１は、本発明の実施形態による車両用エンジン回転数表示装置を搭載した車両の概略ブロック図である。
【００２１】
図１に示すように、符号１は、本発明の実施形態による車両用エンジン回転数表示装置を搭載した車両を示し、この車両１は、エンジン２と、エンジン２の動力を所望の回転数及びトルクに変換して出力する自動変速機４と、自動変速機４から出力された動力を駆動輪８に伝達するデファレンシャルギア６と、デファレンシャルギア６を介して入力された動力を路面に伝えて車両１を駆動する駆動輪８とを有している。また、車両１には、バッテリ１０に電力を供給するオルタネータ１２やエアコン１４が搭載されており、エンジン２の動力は、これらのオルタネータ１２やエアコン１４のコンプレッサにも伝達される。
【００２２】
自動変速機４は、エンジン２の出力軸に連結されるトルクコンバータ１６と、トルクコンバータ１６の出力軸に連結される変速機構１８と、変速機構１８に油圧を供給するオイルポンプ２０とを備えている。トルクコンバータ１６は、エンジン２の動力を流体により変速機構１８に伝達するトーラス２２と、エンジン２と変速機構１８とを機械的に直結させるロックアップクラッチ２４とを備えている。また、変速機構１８は、多段変速歯車機構であり、歯車の組み合わせにより回転数及びトルクの変換を行う。歯車の切り替えは、オイルポンプ２０から供給される油圧を利用して行われる。
【００２３】
次に、図２により、本発明の実施形態による車両用エンジン回転数表示装置の電気的な構成を説明する。図２は、本発明の実施形態による車両用エンジン回転数表示装置のブロック図である。
【００２４】
図２に示すように、車両用エンジン回転数表示装置は、エンジン２の出力軸の回転数（エンジン回転数）を検出するエンジン回転数センサ２６、エンジン回転数を表示するタコメータ２８、及び、タコメータ２８による表示を制御するタコメータ制御部３０を有している。タコメータ２８は、エンジン回転数を表した目盛りと、エンジン回転数に応じた位置の目盛りを指示する指針とを備えている。タコメータ制御部３０は、エンジン回転数センサ２６により検出されたエンジン回転数に基づき、タコメータ２８の指針の動作を制御する。
また、車両１には、トルクコンバータ１６の出力軸の回転数（タービン回転数）を検出するタービン回転数センサ３２、アクセルペダルの踏み込み量を検出するアクセルポジションセンサ３４、車両１の速度を検出する車速センサ３６、自動変速機４にアップ変速を指令するためのマニュアル操作を受け付けるシフトアップスイッチ３８、自動変速機４にダウン変速を指令するためのマニュアル操作を受け付けるシフトダウンスイッチ４０、及び、自動変速機４を操作するためのセレクターのレンジを検出するレンジセンサ４２が搭載されている。これらのセンサやスイッチから出力された信号は、コントロールユニット４４に入力される。コントロールユニット４４は、入力された信号に基づき、自動変速機４の変速機構１８及びロックアップクラッチ２４、エンジン２、オルタネータ１２、エアコン１４等を制御する。さらに、コントロールユニット４４は、タコメータ制御部３０がタコメータ２８による表示を制御するときに参照する信号を、タコメータ制御部３０に出力する。このコントロールユニット４４は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＯＭやＲＡＭの如き内部メモリを備えるコンピュータにより構成される。
【００２５】
次に、図３により、タコメータ制御部３０によるタコメータ２８の表示制御について説明する。
図３は、本発明の実施形態による車両用エンジン回転数表示装置を搭載した車両１のアップ変速時におけるエンジン回転数の変化と、エンジン回転数に対する応答性を変化させた場合にタコメータ２８に表示されるエンジン回転数の変化を示す線図である。
【００２６】
タコメータ制御部３０は、エンジン回転数センサ２６により検出されたエンジン回転数を、所定の応答性によりタコメータ２８に表示させる。タコメータ制御部３０は、この応答性を、後述する表示制御処理においてコントロールユニット４４により設定された応答性フラグのＯＮ／ＯＦＦに応じて変化させる。
【００２７】
図３において、実線は、エンジン回転数センサ２６により検出された実際のエンジン回転数の変化を示し、破線は、応答性フラグがＯＮの場合にタコメータ２８の指針により指示されたエンジン回転数の変化を示し、二点鎖線は、応答性フラグがＯＦＦの場合にタコメータ２８の指針により指示されたエンジン回転数の変化を示している。
この図３に示すように、タコメータ制御部３０は、応答性フラグがＯＮであるときには、応答性フラグがＯＦＦであるときよりもタコメータ２８の応答性を高くする。即ち、タコメータ制御部３０は、応答性フラグがＯＮであるとき、タコメータ２８の指針を、応答性フラグがＯＦＦであるときよりもエンジン回転数の変化に敏速に追随するように動作させる。
【００２８】
次に、図４及び図５により、本発明の実施形態による車両用エンジン回転数表示装置が行う表示制御処理について説明する。
図４は、本発明の実施形態による車両用エンジン回転数表示装置が行う表示制御処理のフローチャートである。また、図５は、本発明の実施形態による車両用エンジン回転数表示装置を搭載した車両１のアップ変速時におけるエンジン回転数及びタービン回転数の変化と、車両用エンジン回転数表示装置により設定される応答性フラグの変化とを示すタイミングチャートであり、図５（ａ）はロックアップクラッチの制御が行われている場合のタイミングチャート、図５（ｂ）はロックアップクラッチの制御が行われていない場合のタイミングチャートである。この図５において、横軸は時間を示し、縦軸は、エンジン回転数（実線）及びタービン回転数（一点鎖線）と、応答性フラグのＯＮ／ＯＦＦとを示している。
【００２９】
表示制御処理は、車両１のイグニッションがオンにされた場合に起動され、繰り返し実行される。この表示制御処理の開始時点において、タコメータ制御部３０の応答性フラグは、予めＯＦＦに設定されている。
【００３０】
まず、図４に示すように、表示制御処理が開始されると、ステップＳ１において、コントロールユニット４４は、エンジン回転数センサ２６、タービン回転数センサ３２、アクセルポジションセンサ３４、車速センサ３６、シフトアップスイッチ３８、シフトダウンスイッチ４０、及び、レンジセンサ４２から出力された信号を読み込む。
【００３１】
次に、ステップＳ２に進み、コントロールユニット４４は、車両１が走行中か否かを判定する。本実施形態においては、コントロールユニット４４は、車速センサ３６により検出された車速が５ｋｍ／ｈ以上である場合に、車両１が走行中であると判定する。
その結果、車両１が走行中ではない（車速が５ｋｍ／ｈ未満である）場合、自動変速機４の変速時におけるエンジン回転数の変化量が小さいので、タコメータ２８の表示の応答性を上昇させる必要性は低いと考えられる。そこで、コントロールユニット４４は、以降の処理をスキップし、ステップＳ１に戻る。
【００３２】
一方、ステップＳ２において、車両１が走行中である（車速が５ｋｍ／ｈ以上である）場合、ステップＳ３に進み、コントロールユニット４４は、自動変速機４の変速制御が実行中か否かを判定する。具体的には、コントロールユニット４４は、予め定められた自動変速用のシフトマップ、又は、シフトアップスイッチ３８やシフトダウンスイッチ４０から入力されたマニュアル操作に従って、自動変速機４に変速指令を出力した後、オイルポンプ２０による変速機構１８の油圧制御が完了するまでの期間において、自動変速機４の変速制御が実行中であると判定する。
その結果、自動変速機４の変速制御が実行中ではない場合、エンジン回転数の変化速度が低いので、タコメータ２８の表示の応答性を上昇させる必要性は低いと考えられる。そこで、コントロールユニット４４は、以降の処理をスキップし、ステップＳ１に戻る。
【００３３】
一方、ステップＳ３において、自動変速機４の変速制御が実行中である場合、即ち、自動変速機４に変速指令が入力された後、オイルポンプ２０による変速機構１８の油圧制御が完了していない場合、ステップＳ４に進み、コントロールユニット４４は、自動変速機４による変速動作のフェーズがトルクフェーズであるか否かを判定する。
【００３４】
具体的には、図５に示すように、コントロールユニット４４は、変速指令が入力されたことにより自動変速機４の変速制御が開始されてから、所定時間Ｔ1が経過していない場合、自動変速機４による変速動作のフェーズがトルクフェーズであると判定し、所定時間Ｔ1が経過した場合、トルクフェーズではないと判定する。
その結果、自動変速機４による変速動作のフェーズがトルクフェーズである場合、エンジン回転数の変化速度が低いので、タコメータ２８の表示の応答性を上昇させる必要性は低いと考えられる。そこで、コントロールユニット４４は、以降の処理をスキップし、ステップＳ１に戻る。
【００３５】
一方、ステップＳ４において、自動変速機４による変速動作のフェーズがトルクフェーズではない場合、ステップＳ５に進み、コントロールユニット４４は、自動変速機４による変速動作のフェーズがイナーシャフェーズであるか否かを判定する。具体的には、コントロールユニット４４は、タービン回転数センサ３２により検出されたタービン回転数が、自動変速機４の変速後の目標回転数に向かって変化した場合（アップ変速時は回転数が減少した場合、ダウン変速時は回転数が増加した場合）に、イナーシャフェーズであると判定する。自動変速機４の変速後の目標回転数は、車速、自動変速機４の変速後の変速比、及び、最終減速比から算出される。
例えば、アップ変速時には、図５に示すように、コントロールユニット４４は、タービン回転数センサ３２により検出されたタービン回転数が減少した場合にイナーシャフェーズであると判定する。
【００３６】
その結果、自動変速機４による変速動作のフェーズがイナーシャフェーズではない場合、エンジン回転数の変化速度が高いイナーシャフェーズではないので、タコメータ２８の表示の応答性を上昇させる必要性は低いと考えられる。そこで、コントロールユニット４４は、以降の処理をスキップし、ステップＳ１に戻る。
【００３７】
一方、ステップＳ５において、自動変速機４による変速動作のフェーズがイナーシャフェーズである場合、ステップＳ６に進み、コントロールユニット４４は、ロックアップクラッチ２４の制御が行われているか否かを判定する。具体的には、コントロールユニット４４は、ロックアップクラッチ２４が半締結されたスリップ状態であるときに、このロックアップクラッチ２４の制御が行われていると判定する。
【００３８】
その結果、ロックアップクラッチ２４の制御が行われていない場合、ロックアップクラッチ２４は解放状態であり、エンジンはタービンと機械的に連結されていないので、エンジン回転数はタービン回転数に敏速に追随せず、不安定且つ緩慢に変化する。この場合にタコメータ２８の表示の応答性を上昇させると、エンジン回転数の不安定な変化がタコメータ２８に表示され、ドライバが違和感を感じる可能性がある。そこで、図５（ｂ）に示すように、コントロールユニット４４は、タコメータ２８の表示の応答性フラグをＯＦＦに保持したまま、以降の処理をスキップし、ステップＳ１に戻る。即ち、コントロールユニット４４は、ロックアップクラッチ２４の制御が行われていない場合、タコメータ制御部３０によるタコメータ２８の表示の応答性の上昇を禁止する。
【００３９】
一方、ロックアップクラッチ２４の制御が行われている場合、ステップＳ７に進み、図５（ａ）に示すように、コントロールユニット４４は、タコメータ制御部３０の応答性フラグをＯＮに設定する。これにより、タコメータ制御部３０は、エンジン回転数センサ２６により検出されたエンジン回転数に対するタコメータ２８の表示の応答性を上昇させる。
【００４０】
次に、ステップＳ８に進み、コントロールユニット４４は、イナーシャフェーズが終了したか否かを判定する。具体的には、コントロールユニット４４は、自動変速機４の変速後の目標回転数に向かうタービン回転数の変化が終了した場合（アップ変速時は回転数の減少が終了した場合、ダウン変速時は回転数の増加が終了した場合）に、イナーシャフェーズが終了したと判定する。
例えば、アップ変速時には、図５に示すように、コントロールユニット４４は、タービン回転数センサ３２により検出されたタービン回転数が減少から増加に転じた場合に、イナーシャフェーズが終了したと判定する。
【００４１】
その結果、イナーシャフェーズが終了していない場合、コントロールユニット４４は、イナーシャフェーズが終了するまでステップＳ８を繰り返す。
【００４２】
一方、イナーシャフェーズが終了した場合、ステップＳ９に進み、コントロールユニット４４は、ステップＳ８においてイナーシャフェーズが終了したと判定してから所定時間Ｔ2（例えば１８０ｍｓｅｃ）が経過したか否かを判定する。
その結果、イナーシャフェーズの終了後所定時間が経過していない場合、コントロールユニット４４は、所定時間が経過するまでステップＳ９を繰り返す。
【００４３】
一方、イナーシャフェーズの終了後所定時間Ｔ2が経過した場合、ステップＳ１０に進み、図５（ａ）に示すように、コントロールユニット４４は、タコメータ制御部３０の応答性フラグをＯＦＦに設定する。これにより、タコメータ制御部３０は、エンジン回転数センサ２６により検出されたエンジン回転数に対するタコメータ２８の表示の応答性を下降させる。
その後、コントロールユニット４４は、ステップＳ１に戻る。
【００４４】
次に、図６乃至図８により、本発明の実施形態のさらなる変形例を説明する。
まず、図６により、本発明の第１変形例のタコメータ制御部３０によるタコメータ２８の表示制御について説明する。図６は、本発明の実施形態の第１変形例による車両用エンジン回転数表示装置を搭載した車両のアップ変速時におけるエンジン回転数の変化と、エンジン回転数に対する応答性を変化させた場合にタコメータに表示されるエンジン回転数の変化を示す線図である。
【００４５】
図６に示すように、第１変形例のタコメータ制御部３０は、タコメータ２８の表示の応答性を、後述する表示制御処理においてコントロールユニット４４により設定された応答性フラグの低／中／高に応じて変化させる。
【００４６】
この図６において、実線は、エンジン回転数センサ２６により検出された実際のエンジン回転数の変化を示し、破線は、応答性フラグが高の場合にタコメータ２８の指針により指示されたエンジン回転数の変化を示し、一点鎖線は、応答性フラグが中の場合にタコメータ２８の指針により指示されたエンジン回転数の変化を示し、二点鎖線は、応答性フラグが低の場合にタコメータ２８の指針により指示されたエンジン回転数の変化を示している。
図６に示すように、タコメータ制御部３０は、応答性フラグが高であるときにタコメータ２８の応答性が最も高く、応答性フラグが低であるときにタコメータ２８の応答性が最も低く、応答性フラグが中であるときにタコメータ２８の応答性が高と低の中間になるようにする。即ち、タコメータ制御部３０は、応答性フラグが高、中、低の順に、タコメータ２８の指針をエンジン回転数の変化に敏速に追随するように動作させる。
【００４７】
次に、図７により、本発明の実施形態の第１変形例による車両用エンジン回転数表示装置が行う表示制御処理について説明する。
図７は、本発明の実施形態の第１変形例による車両用エンジン回転数表示装置が行う表示制御処理のフローチャートである。
【００４８】
この図７の表示制御処理の開始時点において、タコメータ制御部３０の応答性フラグは、予め「低」に設定されている。なお、図７に示す表示制御処理におけるステップＳ１１からＳ１６は、図４に示した表示制御処理におけるステップＳ１からＳ６と同様であるので、説明を省略する。
【００４９】
図７に示すように、ステップＳ１６において、ロックアップクラッチ２４の制御が行われていない場合、ロックアップクラッチ２４は解放状態であり、エンジンはタービンと機械的に連結されていないので、エンジン回転数はタービン回転数に敏速に追随せず、不安定且つ緩慢に変化する。この場合にタコメータ２８の表示の応答性を必要以上に上昇させると、エンジン回転数の不安定な変化がタコメータ２８に表示され、ドライバが違和感を感じる可能性がある。そこで、コントロールユニット４４は、ステップＳ１７に進み、タコメータ２８の表示の応答性フラグを「中」に設定する。
【００５０】
一方、ステップＳ１６において、ロックアップクラッチ２４の制御が行われている場合、ステップＳ１８に進み、コントロールユニット４４は、タコメータ制御部３０の応答性フラグを「高」に設定する。これにより、タコメータ制御部３０は、タコメータ２８の表示の応答性を、ロックアップクラッチ２４の制御が行われていないときよりも上昇させる。
【００５１】
ステップＳ１７又はＳ１８の後、ステップＳ１９に進み、コントロールユニット４４は、イナーシャフェーズが終了したか否かを判定する。具体的には、コントロールユニット４４は、自動変速機４の変速後の目標回転数に向かうタービン回転数の変化が終了した場合に、イナーシャフェーズが終了したと判定する。
その結果、イナーシャフェーズが終了していない場合、コントロールユニット４４は、イナーシャフェーズが終了するまでステップＳ１９を繰り返す。
【００５２】
一方、イナーシャフェーズが終了した場合、ステップＳ２０に進み、コントロールユニット４４は、ステップＳ１９においてイナーシャフェーズが終了したと判定してから所定時間Ｔ2（例えば１８０ｍｓｅｃ）が経過したか否かを判定する。
その結果、イナーシャフェーズの終了後所定時間が経過していない場合、コントロールユニット４４は、所定時間が経過するまでステップＳ２０を繰り返す。
【００５３】
一方、イナーシャフェーズの終了後所定時間Ｔ2が経過した場合、ステップＳ２１に進み、コントロールユニット４４は、タコメータ制御部３０の応答性フラグを「低」に設定する。これにより、タコメータ制御部３０は、エンジン回転数センサ２６により検出されたエンジン回転数に対するタコメータ２８の表示の応答性を下降させる。
その後、コントロールユニット４４は、ステップＳ１１に戻る。
【００５４】
次に、図８により、本発明の実施形態の第２変形例による車両用エンジン回転数表示装置が行う表示制御処理を説明する。この第２変形例では、タコメータ２８の表示の応答性は４つ以上のレベルを有し、タコメータ制御部３０は、タコメータ２８の表示の応答性を、後述する表示制御処理においてコントロールユニット４４により設定されたレベルの応答性に変化させる。
図８の表示制御処理の開始時点において、タコメータ２８の表示の応答性は、予め最も低いレベルに設定されている。なお、図８に示す表示制御処理におけるステップＳ３１からＳ３５は、図４に示した表示制御処理におけるステップＳ１からＳ５と同様であるので、説明を省略する。
【００５５】
図８に示すように、ステップＳ３５において、自動変速機４による変速動作のフェーズがイナーシャフェーズである場合、ステップＳ３６に進み、コントロールユニット４４は、ロックアップクラッチ２４の締結度合を判定する。
【００５６】
次に、ステップＳ３７に進み、コントロールユニット４４は、ロックアップクラッチ２４の締結度合が高いほど、即ち、ロックアップクラッチ２４の締結度合が高くなりエンジン回転数がタービン回転数に追随してより敏速に変化するようになるほど、タコメータ制御部３０によりタコメータ２８の表示の応答性を上昇させる。
【００５７】
次に、ステップＳ３８に進み、コントロールユニット４４は、イナーシャフェーズが終了したか否かを判定する。具体的には、コントロールユニット４４は、自動変速機４の変速後の目標回転数に向かうタービン回転数の変化が終了した場合に、イナーシャフェーズが終了したと判定する。
その結果、イナーシャフェーズが終了していない場合、コントロールユニット４４は、イナーシャフェーズが終了するまでステップＳ３８を繰り返す。
【００５８】
一方、イナーシャフェーズが終了した場合、ステップＳ３９に進み、コントロールユニット４４は、ステップＳ３８においてイナーシャフェーズが終了したと判定してから所定時間Ｔ2（例えば１８０ｍｓｅｃ）が経過したか否かを判定する。
その結果、イナーシャフェーズの終了後所定時間が経過していない場合、コントロールユニット４４は、所定時間が経過するまでステップＳ３９を繰り返す。
【００５９】
一方、イナーシャフェーズの終了後所定時間Ｔ2が経過した場合、ステップＳ４０に進み、コントロールユニット４４は、タコメータ制御部３０によりタコメータ２８の表示の応答性を最も低いレベルに設定する。
その後、コントロールユニット４４は、ステップＳ３１に戻る。
【００６０】
なお、上述した本発明の実施形態及び本発明の実施形態の変形例においては、コントロールユニット４４は、タービン回転数センサ３２により検出されたタービン回転数が、自動変速機４の変速後の目標回転数に向かって変化した場合に、イナーシャフェーズであると判定し、自動変速機４の変速後の目標回転数に向かうタービン回転数の変化が終了した場合に、イナーシャフェーズが終了したと判定すると説明したが、エンジン回転数センサ２６により検出されたエンジン回転数に基づき、イナーシャフェーズの開始及び終了を判定するようにしてもよい。即ち、コントロールユニット４４は、エンジン回転数センサ２６により検出されたエンジン回転数が、自動変速機４の変速後の目標回転数に向かって変化した場合に、イナーシャフェーズであると判定し、自動変速機４の変速後の目標回転数に向かうタービン回転数の変化が終了した場合に、イナーシャフェーズが終了したと判定するようにしてもよい。
【００６１】
また、上述した本発明の実施形態及び本発明の実施形態の変形例では、コントロールユニット４４は、ロックアップクラッチ２４が半締結されたスリップ状態であるときに、このロックアップクラッチ２４の制御が行われていると判定すると説明したが、ロックアップクラッチ２４が完全に締結された締結状態であるときに、このロックアップクラッチ２４の制御が行われていると判定してもよい。
【００６２】
また、上述した本発明の実施形態及び本発明の実施形態の変形例では、車両用エンジン回転数表示装置が、アップ変速時におけるエンジン回転数の変化を表示する場合を例として説明したが、ダウン変速時におけるエンジン回転数の変化を表示する場合においても、アップ変速時の場合と同様に本発明を適用することができる。
【００６３】
次に、上述した本発明の実施形態及び本発明の実施形態の変形例による車両用エンジン回転数表示装置の作用効果を説明する。
【００６４】
まず、コントロールユニット４４及びタコメータ制御部３０は、自動変速機４の変速制御が行われているときに、エンジン回転数センサ２６により検出されたエンジン回転数に対するタコメータ２８の表示の応答性を、自動変速機４の変速制御が行われていないときよりも上昇させるので、変速時におけるエンジン回転数の変化が際立つように、エンジン回転数をタコメータ２８に表示させることができる。これにより、ドライバは、変速時におけるエンジン回転数の鋭い変化を、タコメータ２８の表示の変化から視覚により感じ取ることができる。
また、コントロールユニット４４及びタコメータ制御部３０は、自動変速機４の変速制御が行われているときに、ロックアップクラッチ２４の制御が行われている場合、タコメータ２８の表示の応答性を、ロックアップクラッチ２４の制御が行われていないときよりも上昇させるので、ロックアップクラッチ２４がスリップ状態あるいは締結状態でありエンジン回転数がタービン回転数に追随して敏速に変化するときのタコメータ２８の表示の応答性を、ロックアップクラッチ２４が解放状態でありエンジン回転数が不安定に変化するときの応答性と比較して高くすることができる。これにより、変速時におけるエンジン回転数の変化が際立つように、エンジン回転数をタコメータ２８に表示させつつ、エンジン回転数の不安定な変化がタコメータ２８に表示されることを抑制することができ、ドライバが違和感を感じることを防止できる。
【００６５】
また、コントロールユニット４４及びタコメータ制御部３０は、ロックアップクラッチ２４の締結度合が高いほど、タコメータ２８の表示の応答性を上昇させるので、ロックアップクラッチ２４の締結度合が高くなりエンジン回転数がタービン回転数に追随してより敏速に変化するようになる程、タコメータ２８の表示の応答性を高くすることができ、これにより、変速時におけるエンジン回転数の変化が一層際立つように、エンジン回転数をタコメータ２８に表示させることができる。
【００６６】
また、コントロールユニット４４及びタコメータ制御部３０は、自動変速機４の変速制御が行われているときに、ロックアップクラッチ２４の制御が行われていない場合、タコメータ２８の表示の応答性の上昇を禁止するので、自動変速機４の変速制御中であっても、ロックアップクラッチ２４が解放状態でありエンジン回転数が不安定に変化するときには、タコメータ２８の表示の応答性を上昇させないようにすることができ、これにより、エンジン回転数の不安定な変化がタコメータ２８に表示されることを抑制することができる。
【００６７】
また、コントロールユニット４４は、ロックアップクラッチ２４がスリップ状態であるときに、このロックアップクラッチ２４の制御が行われていると判定する。従って、コントロールユニット４４及びタコメータ制御部３０は、自動変速機４の変速制御が行われているときに、ロックアップクラッチ２４がスリップ状態である場合、タコメータ２８の表示の応答性を上昇させるので、ロックアップクラッチ２４がスリップ状態でありエンジン回転数がタービン回転数に追随して敏速に変化するときのタコメータ２８の表示の応答性を、ロックアップクラッチ２４が解放状態でありエンジン回転数が不安定に変化するときの応答性と比較して高くすることができる。これにより、変速時におけるエンジン回転数の変化が際立つように、エンジン回転数をタコメータ２８に表示させつつ、エンジン回転数の不安定な変化がタコメータ２８に表示されることを抑制することができる。
【００６８】
また、コントロールユニット４４は、自動変速機４の変速動作のフェーズがイナーシャフェーズであるときに、ロックアップクラッチ２４の制御が行われているか否かを判定する。即ち、エンジン回転数が敏速に変化するイナーシャフェーズにおけるロックアップクラッチ２４の状態に応じてタコメータ２８の表示の応答性を設定するので、変速時におけるエンジン回転数の変化が一層際立つように、エンジン回転数をタコメータ２８に表示させつつ、エンジン回転数の不安定な変化がタコメータ２８に表示されることを確実に抑制することができる。
【符号の説明】
【００６９】
１  車両
２  エンジン
４  自動変速機
６  デファレンシャルギア
８  駆動輪
１０  バッテリ
１２  オルタネータ
１４  エアコン
１６  トルクコンバータ
１８  変速機構
２０  オイルポンプ
２２  トーラス
２４  ロックアップクラッチ
２６  エンジン回転数センサ
２８  タコメータ
３０  タコメータ制御部
３２  タービン回転数センサ
３４  アクセルポジションセンサ
３６  車速センサ
３８  シフトアップスイッチ
４０  シフトダウンスイッチ
４２  レンジセンサ
４４  コントロールユニット
【図１】
2015017954.tif 000003
【図２】
2015017954.tif 000004
【図３】
2015017954.tif 000005
【図４】
2015017954.tif 000006
【図５】
2015017954.tif 000007
【図６】
2015017954.tif 000008
【図７】
2015017954.tif 000009
【図８】
2015017954.tif 000010